(57)【要約】      （修正有）【課題】ファイルの両方向挟持使用可能の整理道具構造を提供する。【解決手段】底板１０と、二つの挟み持ち部材２０と、二つの可動部材３０が含有される。底板は、中段部に、二つの中央に向かうスライド槽１３が形成され、スライド槽の両側に摺動レール１５が形成され、スライド槽の外側端に、位置付け穴１４が貫設される。二つの挟み持ち部材は、それぞれスライド槽内に設置され、両側に摺動レールに対応する突出２１が形成され、内側端が弾性部２２で、外側端が係合部２４になり、下端から位置付け穴の幅に対応する位置付け部材が突出する。各可動部材は、側板３１と二つの連結柱３２を有し、互いに対向する連結柱が接続する。【選択図】図１
0003174446.tif 000002
【実用新案登録請求の範囲】
【請求項１】
中段部に、二つの中央に向かうスライド槽が形成され、二つのスライド槽の内側に、行き止め部があり、上記スライド槽の両側に、摺動レールが設けられ、上記二つのスライド槽の外側端の底板上に、予め位置付け穴が形成され、スライド槽の両側の底板に複数の旋回凹槽が設けられ、旋回凹槽の内側の上端に、係合ホークが形成される底板と、
底板の二つのスライド槽内に設置され、挟み持ち部材の両側に、スライド槽の摺動レールに対応する突出が形成され、挟み持ち部材の内側端が、弾性部で、挟み持ち部材の外側端が、係合部であり、その係合部の下端に、収納領域があり、収納領域の外側が、滑り止め部であり、上記挟み持ち部材の下端から、一対の底板の位置付け穴の幅に対応する位置付け部材が突出する二つの挟み持ち部材と、
側板と上記側板の内側面から突出した二つの連結柱があり、上記二つの連結柱が、所定の隙間を有し、上記側板の外側面において、滑り止め領域があり、上記側板の底縁に、旋回軸段があり、上記旋回軸が、半円形体で、上記二つの旋回軸の間に、旋動軸が設けられ、上記旋動軸の上縁に、中空領域が形成される二つの可動部材と、
を有し、
上記二つの可動部材の旋回軸が、上記底板の旋回凹槽に枢着され、上記各可動部材の旋動軸が、上記各挟み持ち部材の収納領域に収納され、上記係合部が、上記中空領域に位置するように、上記旋動軸に抵当し、上記各可動部材の連結柱が、互いに対向して接続される状態になり、
その一側の挟み持ち部材を、スライド槽内へ移動させることにより、同一側にある可動部材の旋動軸が係合部から脱離して、もう一つの挟み持ち部材の収納領域ともう一つの可動部材の旋動軸を軸心として旋回することにより、上記二つの可動部材とその連結柱が分離される、
ことを特徴とするファイルの両方向挟持使用可能の整理道具構造。
【請求項２】
上記底板に、ロック部材が貫設されて挟み合い板体の内面に固定されるための頂底面を貫通する貫通穴があることを特徴とする請求項１に記載のファイルの両方向挟持使用可能の整理道具構造。
【請求項３】
上記の底板に設置された二つのスライド槽内の挟み持ち部材の突出が、スライド槽の摺動レールの中に位置し、挟み持ち部材の下端にある位置付け部材により、底板の位置付け穴内に係止されることを特徴とする請求項１に記載のファイルの両方向挟持使用可能の整理道具構造。
【請求項４】
上記挟み持ち部材の滑り止め部が、外側へ向かうように設置されることを特徴とする請求項１に記載のファイルの両方向挟持使用可能の整理道具構造。
【請求項５】
上記挟み持ち部材の弾性部が、底板スライド槽内の行き止め部に抵当して、自動的に、外へ附勢する構造であることを特徴とする請求項１に記載のファイルの両方向挟持使用可能の整理道具構造。
【請求項６】
上記可動部材が底板の何れかの一側に旋回されると、上記旋回軸の半円構造が上記係合ホークの下端に係合されることを特徴とする請求項１に記載のファイルの両方向挟持使用可能の整理道具構造。
【請求項７】
上記二つの可動部材と二つの挟み持ち部材が同時に結合されると、上記旋回軸が係合ホークの外側に位置付けられることを特徴とする請求項１に記載のファイルの両方向挟持使用可能の整理道具構造。
【請求項８】
上記挟み持ち部材の弾性部が弾性部材であり、上記弾性部材が挟み持ち部材の内側端面に形成されたｈ槽溝に設置されることを特徴とする請求項１に記載のファイルの両方向挟持使用可能の整理道具構造。
【考案の詳細な説明】
【技術分野】
【０００１】
本考案は、ファイルに関し、特に、両方向に快速的に分離や結合できる可動構造を有するファイルの鋏み道具に関する。
【背景技術】
【０００２】
既存の市販のパンチタイプファイルは、パンチされた書類資料を、一冊に整理することにより、快速的に閲覧できるが、一冊に整理された書類資料は、時々、その一部の資料やその必要とする書類資料が、最も底層に位置する時、その一冊の書類資料を、全部を出してから、その必要の部分を取得でき、そのため、一方向だけ可動な鋏み道具は、実用上、解決しなければならない課題がある。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の目的は、作動が便利であるファイルの両方向挟持使用可能の整理道具構造を提供する。
【課題を解決するための手段】
【０００５】
本考案の請求項１は、中段部に、二つの中央に向かうスライド槽が形成され、二つのスライド槽の内側に、行き止め部があり、上記スライド槽の両側に、摺動レールが設けられ、また、上記二つのスライド槽の外側の端底板上則預設有穿設の位置付け穴が形成され、そして、スライド槽の両側の底板において、複数の旋回凹槽が設けられ、旋回凹槽の内側の上端に、係合ホークが形成される底板と、それぞれ、底板の二つのスライド槽内に設置され、挟み持ち部材の両側に、スライド槽の摺動レールに対応する突出が形成され、挟み持ち部材の内側端が、弾性部で、挟み持ち部材の外側端が、係合部であり、その係合部の下端に、収納領域があり、収納領域の外側が、滑り止め部であり、上記挟み持ち部材の下端から、一対の底板の位置付け穴の幅に対応する位置付け部材が突出する二つの挟み持ち部材と、それぞれ、側板と上記側板の内側面から突出した二つの連結柱があり、上記二つの連結柱が、所定の隙間を有し、上記側板の外側面において、滑り止め領域があり、上記側板の底縁に、旋回軸段があり、上記旋回軸が、半円形体で、上記二つの旋回軸の間に、旋動軸が設けられ、上記旋動軸の上縁に、中空領域が形成される二つの可動部材と、が含有され、上記二つの可動部材の旋回軸が、それぞれ、上記底板の旋回凹槽に枢着され、上記各可動部材の旋動軸が、それぞれ、上記各挟み持ち部材の収納領域に収納され、また、上記係合部が、上記中空領域に位置するように、上記旋動軸に抵当し、また、上記各可動部材の連結柱が、互いに対向して接続される状態になり、その一側の挟み持ち部材を、スライド槽内へ移動させることにより、上記の同一側にある可動部材の旋動軸が、係合部から脱離して、もう一つの挟み持ち部材の収納領域ともう一つの可動部材の旋動軸を軸心として、旋回することにより、上記二つの可動部材とその連結柱が分離される、ことを特徴とするファイルの両方向挟持使用可能の整理道具構造である。
【０００６】
本考案の請求項２は、上記底板に、若干のロック部材が貫設されて挟み合い板体の内面に固定されるための、若干の頂底面を貫通する貫通穴があることを特徴とする請求項１に記載のファイルの両方向挟持使用可能の整理道具構造である。
【０００７】
本考案の請求項３は、上記の底板に設置された二つのスライド槽内の挟み持ち部材の突出が、スライド槽の摺動レールの中に位置し、また、挟み持ち部材の下端にある位置付け部材により、底板の位置付け穴内に係止されることを特徴とする請求項１に記載のファイルの両方向挟持使用可能の整理道具構造である。
【０００８】
本考案の請求項４は、上記挟み持ち部材の滑り止め部が、外側へ向かうように設置されることを特徴とする請求項１に記載のファイルの両方向挟持使用可能の整理道具構造である。
【０００９】
本考案の請求項５は、上記挟み持ち部材の弾性部が、底板スライド槽内の行き止め部に抵当して、自動的に、外へ附勢する構造であることを特徴とする請求項１に記載のファイルの両方向挟持使用可能の整理道具構造である。
【００１０】
本考案の請求項６は、可動部材が、底板の何れかの一側に旋回される場合、上記旋回軸の半円構造が、上記係合ホークの下端に係合されることを特徴とする請求項１に記載のファイルの両方向挟持使用可能の整理道具構造である。
【００１１】
本考案の請求項７は、上記二つの可動部材と二つの挟み持ち部材が、同時に結合される時、上記旋回軸が、係合ホークの外側に位置付けられることを特徴とする請求項１に記載のファイルの両方向挟持使用可能の整理道具構造である。
【００１２】
本考案の請求項８は、上記挟み持ち部材の弾性部が、弾性部材であり、上記弾性部材が、挟み持ち部材の内側端面に形成されたｈ槽溝に設置されることを特徴とする請求項１に記載のファイルの両方向挟持使用可能の整理道具構造である。
【００１３】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１４】
図１乃至図１４を参照しながら、本考案のより良い実施例であるファイルの両方向挟持使用可能の整理道具構造１００は、底板１０や二つの挟み持ち部材２０及び二つの可動部材３０が含まれ、図１乃至図３のように、上記底板１０には、若干のロック部材４１が貫設されて挟み合い板体４０の内面に固定されるため（図３のように）、若干の頂底面を貫通する貫通穴１１が形成され、上記ロック部材４１は、主として、リベットを利用し、また、上記底板１０は、それぞれ、両側の四隅に位置する四つの旋回凹槽１２領域があり、上記底板１０の一側にある二つの旋回凹槽１２の間に、中央へ向かうスライド槽１３が形成され、上記スライド槽１３の両側に、摺動レール１５が形成され、また、上記二つのスライド槽１３の外側の底板１０に、位置付け穴１４が設けられる。
【００１５】
図１と２及び４を参照しながら、上記ら挟み持ち部材２０の両側に、スライド槽１３の摺動レール１５に対応する突出２１が設けられ、挟み持ち部材２０の内側端が、弾性部２２構造であり、挟み持ち部材２０の外側端が、係合部２４になり、その係合部２４の下端に、収納領域２３が形成され、収納領域２３の外側が、滑り止め部２５になり、上記挟み持ち部材２０の下端から、底板１０の位置付け穴１４の幅に対応する位置付け部材２６が形成され、上記二つの挟み持ち部材２０が、それぞれ、底板１０の二つのスライド槽１３内に設置され、挟み持ち部材２０の突出２１が、スライド槽１３の摺動レール１５の中に位置することで、また、挟み持ち部材２０の下端にある位置付け部材２６が、底板１０の位置付け穴１４に係合されることにより、上記挟み持ち部材２０が、不意に上記底板１０から脱離することを防止でき、また、上記挟み持ち部材２０の滑り止め部２５が、外側へ向かい、更に、上記ら可動部材３０が、それぞれ、側板３１と上記側板３１の内側面から突出した二つの連結柱３２があり、また、上記二つの連結柱３２が、所定の隙間を有し、上記側板３１の外側面に、滑り止め領域３１１があり、また、上記側板３１の底縁に、二つの旋回軸３１２段があり、上記二つの旋回軸３１２の間に、旋動軸３１３があり、また、上記旋動軸３１３の上縁に、中空領域３１４が、設けられ、上記各可動部材３０の旋回軸３１２が、それぞれ、上記底板１０の旋回凹槽１２の中に枢着され、上記各可動部材３０の旋動軸３１３が、それぞれ、上記各挟み持ち部材２０の収納領域２３に収納され、また、上記係合部２４が、上記中空領域３１４に位置するように、上記旋動軸３１３に抵当し、それから、上記各可動部材３０の連結柱３２が、互いに対向して接続される状態になる。
【００１６】
また、図５乃至図７のように、ユーザーにより、ファイルを利用する場合、何れかの挟み持ち部材２０の外側にある滑り止め部２５を、外側から内側へ力を印加すると、上記挟み持ち部材２０が、内側へ移動され、その係合部２４が、上記旋動軸３１３から脱離し、これにより、ユーザーが、挟み持ち部材２０から脱離された可動部材３０を、自由になり、この時、もう一つの側挟み持ち部材２０の収納領域２３ともう一つの可動部材３０の旋動軸３１３を軸心として、旋回でき、また、上記挟み持ち部材２０は、その弾性部２２が、底板１０のスライド槽１３内の行き止め部１６に抵当するため、自動的に、外へ附勢する効果が得られる。
【００１７】
また、図８と図９のように、上記底板１０の旋回凹槽１２において、上記槽体空間の内側の上端に、ともに、係合ホーク１２１が設けられ、可動部材３０の旋回軸３１２である半円構造設計に合わせて、可動部材３０が、何れかの一側に旋回される時でも、上記旋回軸３１２の半円構造が、上記係合ホーク１２１の下端に係合され、これにより、底板１０と可動部材３０との結合強度が向上され、また、有効に、可動部材３０が、旋回された後、脱離することを防止でき、また、正常に、可動部材３０と挟み持ち部材２０とが、結合や脱離される時、上記旋回軸３１２の半円構造により、係合ホーク１２１の外側へ退避でき、互いに干渉することを防止できる。
【００１８】
本考案によれば、図１０乃至図１４のように、本考案を利用して書類資料を整理する時、ユーザーにより、任意の一側の可動部材３０を選択でき、上記の脱離された可動部材３０の連結柱３２ともう一つの可動部材３０の連結柱３２とを分離させ、この時、パンチされた書類資料５０を、底板１０に連結されている可動部材３０の連結柱３２に設置し、或いは、設置されている書類資料を取り出すことができる。
【００１９】
また、図１と１５及び１６のように、上記挟み持ち部材２０の弾性部２２の代わりに、弾性部材６１を利用してもよく、上記弾性部材６１は、挟み持ち部材２０の内側端面に予めに設けられた槽溝６０に設置され、弾性部材６１により、行き止め部１６に附勢することにより、挟み持ち部材２０が、自動的に外へ附勢される。
【００２０】
上記の各実施例において、上記可動部材の連結柱は、数が二つであるが、実用上、書類資料に対応するパンチ穴の数に対応すればよく、即ち、一つ以上であれば、書類資料を固定する目的が実現される。
【００２１】
そのため、本考案は、より進歩的かつより実用的で、法に従って実用新案登録請求を出願する。
【００２２】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２３】
【図１】本考案の立体分解図
【図２】本考案の立体組立て図
【図３】本考案の実施形態立体図
【図４】本考案の挟み持ち部材の作動概念図１
【図５】本考案の挟み持ち部材の作動概念図２
【図６】本考案の挟み持ち部材の作動概念図３
【図７】本考案のスライド槽内部の挟み持ち部材の弾性構造設置図
【図８】本考案の凹槽と枢着軸を枢着する時の構造概念図１
【図９】本考案の凹槽と枢着軸を枢着する時の構造概念図２
【図１０】本考案の実施例図１
【図１１】本考案の実施形態側面図
【図１２】本考案の作動立体図１
【図１３】本考案の実施例図２
【図１４】本考案の作動立体図２
【図１５】本考案の他のより良い挟み持ち部材の弾性構造概念図
【図１６】本考案の他のより良いスライド槽内部の挟み持ち部材の弾性構造設置図
【符号の説明】
【００２４】
１０    底板
１００  ファイルの両方向挟持使用可能の整理道具構造
１１    貫通穴
１２    旋回凹槽
１２１  係合ホーク
１３    スライド槽
１４    位置付け穴
１５    摺動レール
１６    行き止め部
２０    挟み持ち部材
２１    突出
２２    弾性部
２３    収納領域
２４    係合部
２５    滑り止め部
２６    位置付け部材
３０    可動部材
３１    側板
３１１  滑り止め領域
３１２  旋回軸
３１３  旋動軸
３１４  中空領域
３２    連結柱
４０    挟み合い板体
４１    ロック部材
５０    書類資料
６０    槽溝
６１    弾性部材
【図１】
0003174446.tif 000003
【図２】
0003174446.tif 000004
【図３】
0003174446.tif 000005
【図４】
0003174446.tif 000006
【図５】
0003174446.tif 000007
【図６】
0003174446.tif 000008
【図７】
0003174446.tif 000009
【図８】
0003174446.tif 000010
【図９】
0003174446.tif 000011
【図１０】
0003174446.tif 000012
【図１１】
0003174446.tif 000013
【図１２】
0003174446.tif 000014
【図１３】
0003174446.tif 000015
【図１４】
0003174446.tif 000016
【図１５】
0003174446.tif 000017
【図１６】
0003174446.tif 000018